(57)【要約】本願では、圧力調理器のための蒸気放出装置が開示されている。蒸気放出装置は、蒸気パイプ、固定ナット、安全キャップ、およびＯリングを備えている。蒸気パイプは、蒸気パイプの端部の外周に設けられた外部ねじを持つ第１の蒸気放出通路と、蒸気パイプの中央に設けられた係止段差とを持っている。固定ナットは、第２の蒸気放出通路と、固定ナット内に設けられて蒸気パイプの外部ねじと係合する内部ねじとを備えている。安全キャップは、ナット受容空間と、安全キャップの所定の位置に設けられてナット受容空間が外部と連通できるようにしている複数のスロットとを備えている。Ｏリングが固定ナットと安全キャップとの間に配置されており、安全キャップが固定ナットから外れるのを防止している。
2008508022.tif 000002
【特許請求の範囲】
【請求項１】
蒸気パイプであって、当該蒸気パイプ内に設けられた第１の蒸気放出通路、当該蒸気パイプの端部の外周に設けられた外部ねじ、および当該蒸気パイプの中央に設けられた係合段差、を備える蒸気パイプと、
固定ナットであって、当該固定ナット内に設けられた第２の蒸気放出通路、および当該固定ナット内の所定の位置に設けられ、前記蒸気パイプの外部ねじと係合する内部ねじ、を備える固定ナットと、
安全キャップであって、当該安全キャップ内の所定の位置に設けられ、中に固定ナットを受容するナット受容空間、および当該安全キャップの所定の位置に設けられ、前記ナット受容空間が外部と連通できるようにする複数のスロット、を備える安全キャップと、
前記固定ナットと前記安全キャップとの間に配置されており、前記安全キャップが前記固定ナットから外れるのを防止するＯリングと、
を備える、圧力調理器のための蒸気放出装置。
【請求項２】
請求項１に記載の蒸気放出装置において、
前記固定ナットが、当該固定ナットの外周に設けられ、前記Ｏリングを収容するよう所定の深さを持つリング着座くぼみを備える。
【請求項３】
請求項２に記載の蒸気放出装置において、
前記安全キャップが、当該安全キャップの内周に設けられ、前記Ｏリングを収容するよう所定の深さを持つリング着座くぼみを備える。
【請求項４】
請求項１に記載の蒸気放出装置において、
前記安全キャップが、当該安全キャップの内周に設けられ、前記Ｏリングを収容するよう所定の深さを持つリング着座くぼみを備える。
【請求項５】
請求項１に記載の蒸気放出装置において、
前記固定ナットが、当該固定ナットの側壁に、前記第２の蒸気放出通路と連通するように設けられた少なくとも１つの孔を備える。
【請求項６】
請求項５に記載の蒸気放出装置において、
前記固定ナットが、当該固定ナットの外周に設けられ、前記Ｏリングを収容するよう所定の深さを持つリング着座くぼみを備える。
【請求項７】
請求項６に記載の蒸気放出装置において、
前記安全キャップが、当該安全キャップの内周に設けられ、前記Ｏリングを収容するよう所定の深さを持つリング着座くぼみを備える。
【請求項８】
請求項５に記載の蒸気放出装置において、
前記安全キャップが、当該安全キャップの内周に設けられ、前記Ｏリングを収容するよう所定の深さを持つリング着座くぼみを備える。
【請求項９】
請求項５に記載の蒸気放出装置において、
前記安全キャップが、当該安全キャップの側壁に設けられ、前記ナット受容空間が外部と連通できるようにする少なくとも１つの孔を備える。
【請求項１０】
請求項９に記載の蒸気放出装置において、
前記固定ナットが、当該固定ナットの外周に設けられ、前記Ｏリングを収容するよう所定の深さを持つリング着座くぼみを備える。
【請求項１１】
請求項１０に記載の蒸気放出装置において、
前記安全キャップが、当該安全キャップの内周に設けられ、前記Ｏリングを収容するよう所定の深さを持つリング着座くぼみを備える。
【請求項１２】
請求項９に記載の蒸気放出装置において、
前記安全キャップが、当該安全キャップの内周に設けられ、前記Ｏリングを収容するよう所定の深さを持つリング着座くぼみを備える。
【請求項１３】
請求項１に記載の蒸気放出装置において、
前記安全キャップが、当該安全キャップの側壁に設けられ、前記ナット受容空間が外部と連通できるようにする少なくとも１つの孔を備える。
【請求項１４】
請求項１３に記載の蒸気放出装置において、
前記固定ナットが、当該固定ナットの外周に設けられ、前記Ｏリングを収容するよう所定の深さを持つリング着座くぼみを備える。
【請求項１５】
請求項１４に記載の蒸気放出装置において、
前記安全キャップが、当該安全キャップの内周に設けられ、前記Ｏリングを収容するよう所定の深さを持つリング着座くぼみを備える。
【請求項１６】
請求項１３に記載の蒸気放出装置において、
前記安全キャップが、当該安全キャップの内周に設けられ、前記Ｏリングを収容するよう所定の深さを持つリング着座くぼみを備える。
【発明の詳細な説明】
【技術分野】
【０００１】
本発明は一般に、圧力調理器のための蒸気放出装置に関し、より詳細には、圧力調理器の内部から蒸気を放出するための蒸気パイプが固定ナットに固定されており、固定ナットの外周上に取り付けられたＯリングを介して安全キャップが固定ナットに取り外し可能に固定されており、その結果、圧力調理器から蒸気を放出するための空間が拡大され、爆発の恐れなどの危険性を小さくするように構成された、圧力調理器のための蒸気放出装置に関する。
【背景技術】
【０００２】
図１および図２に示すように、圧力調理器のための従来の蒸気放出装置１は蒸気パイプ２および安全キャップ３を備えている。蒸気パイプ２には蒸気放出通路２−１が設けられており、蒸気が蒸気放出通路２−１を通過するようになっている。蒸気パイプ２の端部の外周には外部ねじ２−２が設けられており、蒸気パイプ２の中央の外周には係止段差２−３が設けられている、さらに、安全キャップ３の内面には、外部ねじ２−２に対応する内部ねじ３−１が設けられている。安全キャップ３には複数のスロット３０２が規則的な間隔で形成されており、蒸気がこれらのスロットを通過するようになっている。
【０００３】
従来の蒸気放出装置１を圧力調理器５に設置するプロセスを以下に説明する。
【０００４】
まず最初に、圧力調整器４を蒸気パイプ２の上側部分に取り付ける。外部ねじ２−２を持つ蒸気パイプ２の下側部分を、圧力調理器５のふた６に形成されている取り付け孔７内に挿入する。次に、蒸気パイプ２を、蒸気パイプ２の外部ねじ２−２が安全キャップ３の内部ねじ３−１に係合するように安全キャップ３に固定する。これにより、たとえ圧力調理器５が比較的長時間作動されたとしても、蒸気パイプ２が圧力調理器５から外れることはない。
【０００５】
従って、圧力調理器に設置された蒸気放出装置は圧力調理器が作動されている間、蒸気放出動作を行う。
【０００６】
しかしながら、安全キャップから不純物を取り除く必要がある場合、安全キャップはねじ型の固定方法を介して蒸気パイプの比較的しっかりと連結されているため、蒸気パイプと安全キャップのねじを互いから外すことが困難である。さらに、圧力調理器のふたに固定されている蒸気パイプから安全キャップを取り外す場合、蒸気パイプもまた圧力調理器のふたから取り外される。すなわち、蒸気パイプが圧力調理器のふたから取り外される場合、圧力調理器が破損されることがある。さらに、蒸気パイプがふたから取りはずされて紛失すると、圧力調理器はもはや使用できない。
【発明の開示】
【発明が解決しようとする課題】
【０００７】
従って、本発明は従来技術において生じている上述の問題点を念頭において行われたものであり、本発明の目的は、圧力調理器のための蒸気放出装置を提供することにある。この装置は、蒸気パイプが固定ナットを使って圧力調理器のふたに固定されており、固定ナットの外周上に取り付けられたＯリングを介して安全キャップが固定ナットに取り外し可能に固定されており、その結果、圧力調理器の内部から蒸気を放出するための空間が拡大され、これにより爆発の恐れなどの危険性を小さくするように構成されている。
【課題を解決するための手段】
【０００８】
前記目的を実現するために、本発明は圧力調理器のための蒸気放出装置を提供する。この装置は、蒸気パイプであって、当該蒸気パイプ内に設けられた第１の蒸気放出通路、当該蒸気パイプの端部の外周に設けられた外部ねじ、および当該蒸気パイプの中央に設けられた係合段差を備える蒸気パイプと、固定ナットであって、当該固定ナット内に設けられた第２の蒸気放出通路、および当該固定ナット内の所定の位置に設けられ、前記蒸気パイプの外部ねじと係合する内部ねじを備える固定ナットと、安全キャップであって、当該安全キャップ内の所定の位置に設けられたナット受容空間、および当該安全キャップの所定の位置に設けられ、前記ナット受容空間を外部と連通させる複数のスロットを備える安全キャップと、前記固定ナットと前記安全キャップとの間に配置されており、前記安全キャップが前記固定ナットから外れるのを防止するＯリングとを備える。
【発明の効果】
【０００９】
上述のように、本発明による圧力調理器のための蒸気放出装置は、安全キャップが固定ナットの外周上に取り付けられたＯリングを介して固定ナットに取り外し可能に固定されるように構成されており、圧力調理器が不純物で汚れた場合、安全キャップを固定ナットから簡単に取り外して掃除できるようになっているため、圧力調理器を清潔に保てる。すなわち、安全キャップから不純物を取り除く必要があるとき、本発明による圧力調理器のための蒸気放出装置の場合、蒸気パイプを圧力調理器に固定したままの状態で安全キャップだけを圧力調理器から取り外す。これにより、本発明の蒸気放出装置は、蒸気パイプを圧力調理器から取り外して不純物を取り除かなければならない従来の圧力調理器のための蒸気放出装置とは違い、圧力調理器を蒸気パイプによる破損から防ぐことができ、また蒸気パイプが紛失することを防ぐことができる。
【００１０】
さらに、本発明は圧力調理器のための蒸気放出装置を提供する。この装置は、安全キャップが固定ナットを覆うように構成されており、これにより固定ナットに固定されている蒸気パイプの蒸気放出通路が不純物によりふさがれるのを防止して、爆発または類似の危険性を防止する。
【発明を実施するための最良の形態】
【００１１】
以後、本発明の好ましい実施態様による、圧力調理器のための蒸気放出装置を、添付の図面を参照しながら説明する。
【００１２】
図３は、本発明による、圧力調理器のための蒸気放出装置を示す分解断面図であり、図４は、本発明による、圧力調理器のための蒸気放出装置を示す断面図であり、図５は、本発明による、圧力調理器に設置された蒸気放出装置を示す図である。
【００１３】
図３から図５に示すように、本発明による圧力調理器のための蒸気放出装置１０は、蒸気パイプ２０、固定ナット３０、安全キャップ４０、およびＯリング５０を備えている。蒸気パイプ２０は、圧力調理器１１のふた１３に形成されている取り付け孔１５内に挿入されており、蒸気放出通路２１が蒸気パイプ２０内に設けられていて圧力調理器１１によって生成される蒸気が外部に放出される状態とされている。固定ナット３０は、圧力調理器１１のふた１３に蒸気パイプ２０を固定している。安全キャップ４０が固定ナット３０に連結されており、ご飯粒のような不純物が蒸気パイプ２０の蒸気放出通路２１に捕獲されるのを防止している。Ｏリング５０は、固定ナットと安全キャップ４０との間に介在されており、これにより安全キャップ４０が固定ナット３０から外れるのを防止している。
【００１４】
詳しくは、蒸気パイプ２０は、圧力調理器１１内で生成された蒸気を外部に放出するための蒸気放出通路２１を中に持っている。蒸気パイプ２０の端部の外周には外部ねじ２３が設けられており、蒸気パイプ２０の中央には係止段差２５が設けられている。
【００１５】
固定ナット３０は、圧力調理器１１の外へと蒸気を放出するための蒸気放出通路３１を中に持っている。固定ナット３０内の所定の位置には内部ねじ３３が設けられており、内部ねじ３３は、蒸気パイプ２０の外部ねじ２３と係合する。固定ナット３０の壁には少なくとも１つの孔３５が形成されており、孔３５は、蒸気放出通路３１を外部と連通させている。
【００１６】
さらに、固定ナット３０の外周にはリング着座くぼみ３７が形成され、Ｏリングがこのリング着座くぼみに着座するようになっている。
【００１７】
安全キャップ４０は、中にナット受容空間４１を持っており、固定ナット２０が安全キャップ４０の第１の端部からナット受容空間４１内に挿入されるようになっている。安全キャップ４０の第２の端部には複数のスロット４３がナット受容空間４１と連通するように形成されている。安全キャップ４０の壁には少なくとも１つの孔４５が形成されており、これによりナット受容空間４１が外部と連通できるようになっている。
【００１８】
この場合、スロット４３は適切な間隔で形成されておりご飯粒などの不純物が蒸気放出通路２１および３１に入ることを防止している。
【００１９】
さらに、ナット受容空間４１の内周にはリング着座くぼみ４７が設けられており、Ｏリング５０がリング着座くぼみ４７に着座するようになっている。
【００２０】
Ｏリング５０の内部５１が固定ナット３０の外周に形成されたリング着座くぼみ３７と接触するようにＯリング５１が固定ナット３０上に取り付けられる後、Ｏリング５０の外部５３が安全キャップ４０の内周に形成されたリング着座くぼみ４７に着座する。これにより、Ｏリング５０が安全キャップ４０と固定ナット３０との間に介在された状態で安全キャップ４０と固定ナット３０とが互いに連結される。
【００２１】
上述のように構成された蒸気放出装置１０を圧力調理器１１に設置する方法を以下に説明する。
【００２２】
まず最初に、圧力調整器６０を蒸気パイプ２０の上側部分に設置する。外部ねじ２３を持つ蒸気パイプ２０の下側部分を取り付け孔１５内に挿入して、蒸気パイプ２０の係止段差２５が圧力調理器１１のふた１３に形成された取り付け孔１５によって止められるようにする。
【００２３】
一方、Ｏリング５０は固定ナット３０の外周に形成されたリング着座くぼみ３７に着座される。Ｏリング５０が取り付けられた固定ナット３０の内部ねじ３３が、取り付け孔１５を通過する蒸気パイプ２０の下側部分に設けられた外部ねじ２３と係合する。これにより、蒸気パイプ２０が圧力調理器１１のふた１３に固定される。
【００２４】
次に、安全キャップ４０が固定ナット３０に、固定ナット３０が安全キャップ４０のナット受容空間４１内に収容されるように連結される。すなわち、Ｏリング５０の外部５３が安全キャップ４０のナット受容空間４１に形成されたリング着座くぼみ４７に着座された状態で、安全キャップ４０が固定ナット３０に連結される。
【００２５】
従って、上述のように構成された蒸気放出装置が装備された圧力調理器が作動されると、蒸気放出装置が圧力調理器内で生成された蒸気を外部へと放出させる。
【図面の簡単な説明】
【００２６】
【図１】圧力調理器のための従来の蒸気放出装置を示す図である。
【図２】圧力調理器に設置された従来の蒸気放出装置を示す図である。
【図３】本発明による、圧力調理器のための蒸気放出装置を示す分解断面図である。
【図４】本発明による、圧力調理器のための蒸気放出装置を示す断面図である。
【図５】本発明による、圧力調理器に設置された蒸気放出装置を示す図である。
【図１】
2008508022.tif 000003
【図２】
2008508022.tif 000004
【図３】
2008508022.tif 000005
【図４】
2008508022.tif 000006
【図５】
2008508022.tif 000007
【国際調査報告】
2008508022.tif 000008
2008508022.tif 000009